(57)【要約】【課題】  ＰｏＥ対応通信機器とＰｏＥ非対応通信機器の両方を使用できるメディアコンバータを提供する。【解決手段】  メディアコンバータ１の筺体２に、光ケーブル６が接続される光コネクタ３と、イーサネット（登録商標）ケーブル８が接続される電気コネクタ４と、ＡＣアダプタ１０が接続される電源コネクタ５と、光信号と電気信号の相互変換を行うコンバータ回路１２と、給電回路１３とを配設する。給電回路１３は電気コネクタ４と電源コネクタ５をコンバータ回路１２に接続し、電気コネクタ４に接続されたＰｏＥ対応通信機器９からの電力をコンバータ回路１２に供給する。【選択図】        図２
2009055573.tif 000002
【特許請求の範囲】
【請求項１】
光ケーブルが接続される光コネクタと、イーサネット（登録商標）ケーブルが接続される電気コネクタと、ＡＣアダプタが接続される電源コネクタと、光信号と電気信号の相互変換を行うコンバータ回路と、コンバータ回路に電気コネクタと電源コネクタを接続する給電回路とを備え、給電回路が電気コネクタに接続されたＰｏＥ対応通信機器からの電力をコンバータ回路に供給することを特徴とするメディアコンバータ。
【発明の詳細な説明】
【技術分野】
【０００１】
本発明は、光信号と電気信号との相互変換を行うメディアコンバータに関する。
【背景技術】
【０００２】
従来、家庭内や事業所内の光通信ネットワークにおいて、メディアコンバータをスイッチングハブやルータ等の通信機器に接続して使用する技術が知られている。例えば、特許文献１には、情報用分電盤の内部において、メディアコンバータにルータとスイッチングハブとを接続した装置が記載されている。
【０００３】
スイッチングハブやルータ等の通信機器には、近年、ＰｏＥ（パワー・オーバー・イーサネット（登録商標））対応機器が広く使用されている。ＰｏＥ対応機器は、ＩＥＥＥ  ８０２．３ａｆの規格に準拠した機器であって、イーサネット（登録商標）ケーブルを用いて電気信号と共に電力を供給でき、機器設置およびケーブル配線上の自由度を高める利点がある。
【０００４】
例えば、特許文献２には、ＰｏＥ接続を利用して複数のデバイスに電力を供給する給電装置が記載されている。特許文献３には、ＰｏＥ規格に従う給電を受けて自機およびアナログ電話機に電源電圧を供給するターミナルアダプタ装置が記載されている。
【特許文献１】特開２００５−３４１６９０号公報
【特許文献２】特開２００５−２６９８９０号公報
【特許文献３】特開２００７−１０４２０３号公報
【発明の開示】
【発明が解決しようとする課題】
【０００５】
ところで、メディアコンバータの場合は、信号変換装置としての性格上、ＰｏＥ規格に対応する通信機器のみならずＰｏＥ規格に対応しない通信機器も接続される。しかし、従来のメディアコンバータはＰｏＥ電源または商用電源のどちらか一系統の電源を使用しているため、汎用の光通信ネットワークを構築する場合に、ＰｏＥ電源を使用するメディアコンバータと商用電源を使用するメディアコンバータの二種類を用意し、通信機器の機種に応じて使い分ける必要があった。
【０００６】
本発明の目的は、上記課題を解決し、ＰｏＥ対応通信機器とＰｏＥ非対応通信機器の両方を使用できるメディアコンバータを提供することにある。
【課題を解決するための手段】
【０００７】
上記課題を解決するために、本発明のメディアコンバータは、光ケーブルが接続される光コネクタと、イーサネット（登録商標）ケーブルが接続される電気コネクタと、ＡＣアダプタが接続される電源コネクタと、光信号と電気信号の相互変換を行うコンバータ回路と、コンバータ回路に電気コネクタと電源コネクタを接続する給電回路とを備え、給電回路が電気コネクタに接続されたＰｏＥ対応通信機器からの電力をコンバータ回路に供給することを特徴とする。
【発明の効果】
【０００８】
本発明のメディアコンバータでは、各種の通信機器がイーサネット（登録商標）ケーブルを介して電気コネクタに接続される。通信機器がＰｏＥ規格に対応している場合は、ＡＣアダプタを使用しなくても、電力が該通信機器からイーサネット（登録商標）ケーブル、電気コネクタ、給電回路を介してコンバータ回路に供給される。通信機器がＰｏＥ規格に対応していない場合は、ＡＣアダプタを電源コネクタに接続することで、電力が商用電源からＡＣアダプタ、電源コネクタ、給電回路を介してコンバータ回路に供給される。従って、一台のメディアコンバータでＰｏＥ対応通信機器とＰｏＥ非対応通信機器の両方を使用できるという効果がある。
【発明を実施するための最良の形態】
【０００９】
以下、本発明を実施するための最良の形態を図面に基づいて説明する。図１はメディアコンバータの外観的な構成を示し、図２はメディアコンバータの電気的な構成を示す。
【００１０】
メディアコンバータ１の筺体２には、前面に光コネクタ３と電気コネクタ４と電源コネクタ５とが配設されている。光コネクタ３には、光ケーブル６を介して別のメディアコンバータ等の光デバイス７が接続される。電気コネクタ４には、イーサネット（登録商標）ケーブル８を介してスイッチングハブやルータ等のＰｏＥ対応または非対応の通信機器９が接続される。電源コネクタ５は、ＡＣアダプタ１０を介して商用電源１１に接続される。
【００１１】
筺体２の内部には、光ケーブル６を通る光信号とイーサネット（登録商標）ケーブル８を通る電気信号との相互変換を行うコンバータ回路１２と、コンバータ回路１２を電気コネクタ４およびと電源コネクタ５に接続する給電回路１３とが設けられている。給電回路１３は、ＰｏＥ対応通信機器９とＡＣアダプタ１０の二系統の電源を冗長化させ、どちらかの電源が切れた場合でも、コンバータ回路１２に電力を供給できるように構成されている。
【００１２】
具体的には、給電回路１３にコンバータ回路１２の動作電圧を制御する電圧レギュレータ１４が設けられている。電圧レギュレータ１４には、ダイオード１５を介して電気コネクタ４が接続されるとともに、ダイオード１６を介して電源コネクタ５が接続されている。そして、ＰｏＥ対応通信機器９がイーサネット（登録商標）ケーブル８を介して電気コネクタ４に接続されたときに、給電回路１３がその通信機器９からの電力をコンバータ回路１２に供給するように構成されている。
【００１３】
例えば、コンバータ回路１２の動作電圧が３．３Ｖである場合、電圧レギュレータ１４には同じ３．３Ｖを出力するものを使用する。ＰｏＥ規格の電源電圧は４８Ｖに規定されているので、通信機器９には出力電圧を５Ｖ程度に降下させるＤＣ−ＤＣコンバータを備えたものを使用する。また、ＰｏＥ電源を優先させる場合は、ＡＣアダプタ１０に出力電圧が５Ｖ以下のものを使用するか、あるいは、ＡＣアダプタ１０側のダイオード１６に順方向電圧が大きなものを使用する。
【００１４】
以上のように構成されたメディアコンバータ１においては、光デバイス７が光ケーブル６を介して光コネクタ３に接続され、各種の通信機器９がイーサネット（登録商標）ケーブル８を介して電気コネクタ４に接続される。電気コネクタ４にＰｏＥ規格対応の通信機器９を接続した場合は、ＡＣアダプタ１０を使用しなくても、電力が通信機器９からイーサネット（登録商標）ケーブル８、電気コネクタ４、給電回路１３を介してコンバータ回路１２に供給される。
【００１５】
一方、電気コネクタ４にＰｏＥ規格非対応の通信機器９を接続した場合は、ＡＣアダプタ１０を電源コネクタ５に接続することで、電力が商用電源１１からＡＣアダプタ１０、電源コネクタ５、給電回路１３を介してコンバータ回路１２に供給される。従って、一台のメディアコンバータ１でＰｏＥ対応通信機器９とＰｏＥ非対応通信機器９の両方を使用することができて、汎用の光通信ネットワークを容易に構築することができる。
【００１６】
本発明は上記実施形態に限定されるものではなく、例えば、図２に示す給電回路１３において、電気コネクタ４と電源コネクタ５を電圧レギュレータ１４に選択的に導通させるためのスイッチを設けるなど、本発明の趣旨を逸脱しない範囲で、各部の構成を適宜に変更して実施することも可能である。
【図面の簡単な説明】
【００１７】
【図１】本発明の一実施形態を示すメディアコンバータの斜視図である。
【図２】図１のメディアコンバータの電気回路を示すブロック図である。
【符号の説明】
【００１８】
１    メディアコンバータ
３    光コネクタ
４    電気コネクタ
５    電源コネクタ
６    光ケーブル
８    イーサネット（登録商標）ケーブル
９    通信機器
１０    ＡＣアダプタ
１１    商用電源
１２    コンバータ回路
１３    給電回路
１４    電圧レギュレータ
【図１】
2009055573.tif 000003
【図２】
2009055573.tif 000004